【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
表示手段に表示される表示画面に対する位置の入力を受け付ける位置入力手段と、
前記位置入力手段での複数の位置の入力を伴う拡大操作が行われた場合、該複数の位置に基づく特定の位置が、前記表示画面のうち所定の表示対象が表示されたエリア内であれば、前記特定の位置を基準として前記所定の表示対象を前記エリアにおいて拡大して表示し、前記特定の位置が前記エリア外であれば、前記エリアの中心を基準として前記所定の表示対象を前記エリアにおいて拡大して表示するように制御する表示制御手段と、を有することを特徴とする、
表示制御装置。
【請求項２】
表示手段に表示される表示画面に対する位置の入力を受け付ける位置入力手段と、
前記位置入力手段での複数の位置の入力を伴う拡大操作が行われた場合、該複数の位置が、前記表示画面のうち所定の表示対象が表示されたエリア内であれば、該複数の位置に基づく特定の位置を基準として前記所定の表示対象を前記エリアにおいて拡大して表示し、該複数の位置が前記エリア外であれば、前記エリアの中心を基準として前記所定の表示対象を前記エリアにおいて拡大して表示するように制御する表示制御手段と、を有することを特徴とする、
表示制御装置。
【請求項３】
前記特定の位置は、前記位置入力手段で入力された複数の位置の中点であることを特徴とする、
請求項１または２に記載の表示制御装置。
【請求項４】
前記拡大操作は、前記位置入力手段で複数の位置を入力し、該複数の位置の各々の間を広げる操作であること特徴とする、
請求項１乃至３の何れか１項に記載の表示制御装置。
【請求項５】
前記拡大操作は、前記位置入力手段で複数の位置を一定時間内に連続して入力する操作であること特徴とする、
請求項１乃至４の何れか１項に記載の表示制御装置。
【請求項６】
前記位置入力手段はタッチパネルであることを特徴とする、
請求項１乃至４のいずれか１項に記載の表示制御装置。
【請求項７】
表示手段に対するタッチ操作を検知するタッチ検知手段と、
前記表示手段の２箇所がタッチされ、該２箇所のタッチ位置の間隔を広げる操作が行われた場合、前記２箇所のタッチ位置の中点が、前記表示手段のうち所定の表示対象が表示されたエリア内であれば、前記中点を基準として前記所定の表示対象を前記エリアにおいて拡大して表示し、前記中点が前記エリア外であれば、前記エリアの中心を基準として前記所定の表示対象を前記エリアにおいて拡大して表示するように制御する表示制御手段と、を有することを特徴とする、
表示制御装置。
【請求項８】
表示手段に対するタッチ操作を検知するタッチ検知手段と、
前記表示手段の２箇所がタッチされ、該２箇所のタッチ位置の間隔を広げる操作が行われた場合、前記２箇所のタッチ位置の双方が前記表示手段のうち所定の表示対象が表示されたエリア内であれば、前記２箇所のタッチ位置の中点を基準として前記所定の表示対象を前記エリアにおいて拡大して表示し、前記２箇所のタッチ位置の少なくとも一方が前記エリア外であれば、前記エリアの中心を基準として前記所定の表示対象を前記エリアにおいて拡大して表示するように制御する表示制御手段と、を有することを特徴とする、
表示制御装置。
【請求項９】
表示手段に対するタッチ操作を検知するタッチ検知手段と、
前記表示手段に対して一定時間内に連続して２回タッチする操作が行われた場合、前記２回のタッチによるタッチ位置に基づく特定の位置が、前記表示手段のうち所定の表示対象が表示されたエリア内であれば、前記特定の位置を基準として前記所定の表示対象を前記エリアにおいて拡大して表示し、前記特定の位置が前記エリア外であれば、前記エリアの中心を基準として前記所定の表示対象を前記エリアにおいて拡大して表示するように制御する表示制御手段と、を有することを特徴とする、
表示制御装置。
【請求項１０】
表示手段に対するタッチ操作を検知するタッチ検知手段と、
前記表示手段に対して一定時間内に連続して２回タッチする操作が行われた場合、前記２回のタッチによるタッチ位置が前記表示手段のうち所定の表示対象が表示されたエリア内であれば、前記２回のタッチによるタッチ位置に基づく特定の位置を基準として前記所定の表示対象を前記エリアにおいて拡大して表示し、前記２回のタッチによるタッチ位置が前記エリア外であれば、前記エリアの中心を基準として前記所定の表示対象を前記エリアにおいて拡大して表示するように制御する表示制御手段と、を有することを特徴とする、
表示制御装置。
【請求項１１】
前記特定の位置は、前記２回のタッチによる各タッチ位置の中点であることを特徴とする、
請求項９または１０に記載の表示制御装置。
【請求項１２】
前記表示制御手段は、拡大の前後で前記基準となる位置の前記エリアにおける表示位置か変わらないように、前記所定の表示対象を前記エリアにおいて拡大して表示するように制御することを特徴とする、
請求項１乃至１１のいずれか１項に記載の表示制御装置。
【請求項１３】
前記表示手段には、前記エリアに加えて、前記所定の表示対象の全体が全体表示エリアに表示されており、
前記表示制御手段は、前記特定の位置が前記エリア外で且つ前記全体表示エリア内の場合に、前記エリアの中心位置を基準として前記所定の表示対象を前記エリアにおいて拡大して表示するように制御することを特徴とする、
請求項１または９に記載の表示制御装置。
【請求項１４】
前記位置入力手段で一定時間内に３点以上の位置が入力された場合、検出されたタイミングが早い方から順に３点の中心点を前記特定の位置とすることを特徴とする、
請求項１乃至６、９，１０のいずれか１項に記載の表示制御装置。
【請求項１５】
前記表示制御手段は、前記特定の位置の決定に用いた前記３点で囲まれる面積に応じて、前記拡大の拡大率を決めることを特徴とする、
請求項１４に記載の表示制御装置。
【請求項１６】
前記所定の表示対象は画像であることを特徴とする、
請求項１乃至１５のいずれか１項に記載の表示制御装置。
【請求項１７】
表示手段に表示される表示画面に対する位置の入力を受け付ける位置入力ステップと、
前記位置入力ステップでの複数の位置の入力を伴う拡大操作が行われた場合、
該複数の位置に基づく特定の位置が、前記表示画面のうち所定の表示対象が表示されたエリア内の場合には、前記特定の位置を基準として前記所定の表示対象を前記エリアにおいて拡大して表示し、
前記特定の位置が前記エリア外の場合には、前記エリアの中心を基準として前記所定の表示対象を前記エリアにおいて拡大して表示するように制御する表示制御ステップと、を有することを特徴とする、
表示制御装置の制御方法。
【請求項１８】
表示手段に表示される表示画面に対する位置の入力を受け付ける位置入力ステップと、
前記位置入力ステップでの複数の位置の入力を伴う拡大操作が行われた場合、
該複数の位置が、前記表示画面のうち所定の表示対象が表示されたエリア内の場合には、該複数の位置に基づく特定の位置を基準として前記所定の表示対象を前記エリアにおいて拡大して表示し、
該複数の位置が前記エリア外の場合には、前記エリアの中心を基準として前記所定の表示対象を前記エリアにおいて拡大して表示するように制御する表示制御ステップと、を有することを特徴とする、
表示制御装置の制御方法。
【請求項１９】
表示手段に対するタッチ操作を検知するタッチ検知ステップと、
前記表示手段の２箇所がタッチされ、該２箇所のタッチ位置の間隔を広げる操作が行われた場合、
前記２箇所のタッチ位置の中点が、前記表示手段のうち所定の表示対象が表示されたエリア内の場合には、前記中点を基準として前記所定の表示対象を前記エリアにおいて拡大して表示し、
前記中点が前記エリア外の場合には、前記エリアの中心を基準として前記所定の表示対象を前記エリアにおいて拡大して表示するように制御する表示制御ステップと、を有することを特徴とする、
表示制御装置の制御方法。
【請求項２０】
表示手段に対するタッチ操作を検知するタッチ検知ステップと、
前記表示手段の２箇所がタッチされ、該２箇所のタッチ位置の間隔を広げる操作が行われた場合、
前記２箇所のタッチ位置の双方が前記表示手段のうち所定の表示対象が表示されたエリア内の場合には、前記２箇所のタッチ位置の中点を基準として前記所定の表示対象を前記エリアにおいて拡大して表示し、
前記２箇所のタッチ位置の少なくとも一方が前記エリア外の場合には、前記エリアの中心を基準として前記所定の表示対象を前記エリアにおいて拡大して表示するように制御する表示制御ステップと、を有することを特徴とする、
表示制御装置の制御方法。
【請求項２１】
表示手段に対するタッチ操作を検知するタッチ検知ステップと、
前記表示手段に対して一定時間内に連続して２回タッチする操作が行われた場合、
前記２回のタッチによるタッチ位置に基づく特定の位置が、前記表示手段のうち所定の表示対象が表示されたエリア内の場合には、前記特定の位置を基準として前記所定の表示対象を前記エリアにおいて拡大して表示し、
前記特定の位置が前記エリア外の場合には、前記エリアの中心を基準として前記所定の表示対象を前記エリアにおいて拡大して表示するように制御する表示制御ステップと、を有することを特徴とする、
表示制御装置の制御方法。
【請求項２２】
表示手段に対するタッチ操作を検知するタッチ検知ステップと、
前記表示手段に対して一定時間内に連続して２回タッチする操作が行われた場合、
前記２回のタッチによるタッチ位置が前記表示手段のうち所定の表示対象が表示されたエリア内の場合には、前記２回のタッチによるタッチ位置に基づく特定の位置を基準として前記所定の表示対象を前記エリアにおいて拡大して表示し、
前記２回のタッチによるタッチ位置が前記エリア外の場合には、前記エリアの中心を基準として前記所定の表示対象を前記エリアにおいて拡大して表示するように制御する表示制御ステップと、を有することを特徴とする、
表示制御装置の制御方法。
【請求項２３】
コンピュータを、請求項１乃至１６のいずれか１項に記載された表示制御装置の各手段として機能させるためのプログラム。
【請求項２４】
コンピュータを、請求項１乃至１６のいずれか１項に記載された表示制御装置の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
上記課題を解決する本発明の表示制御装置は、表示手段に表示される表示画面に対する位置の入力を受け付ける位置入力手段と、前記位置入力手段での複数の位置の入力を伴う拡大操作が行われた場合、該複数の位置に基づく特定の位置が、前記表示画面のうち所定の表示対象が表示されたエリア内であれば、前記特定の位置を基準として前記所定の表示対象を前記エリアにおいて拡大して表示し、前記特定の位置が前記エリア外であれば、前記エリアの中心を基準として前記所定の表示対象を前記エリアにおいて拡大して表示するように制御する表示制御手段と、を有することを特徴とする。